(57)【要約】      （修正有）【課題】海底に潜水して多くの作業を行うことなく、波浪や潮流の影響を受けにくい漁礁を提供する。【解決手段】この漁礁１は、コンクリートからなる本体部２と、該本体部２の下面より下方に突き出し、海底７の地盤内に突き入れられる複数のアンカー部３と、を備える。アンカー部３は、先端部が海底に突き当てられた状態で前記本体部を海底より上方に支持することができるとともに、該本体部の自重又は自重と該本体部に作用する鉛直方向の力とによって海底７の地盤内に貫入が可能に、本体部の下端付近に固定されている。この漁礁の設置は、本体部をアンカー部とともに吊り上げ、海底まで沈下させて、アンカー部の先端部が海底に突き当てられた状態で本体部を海底より上方に支持し、本体部に鉛直方向の力若しくは振動を作用させてアンカー部を海底７の地盤内に貫入する。【選択図】図１
2017195791.tif 000002
【特許請求の範囲】
【請求項１】
コンクリートからなる本体部と、
該本体部の下面より下方に突き出し、海底の地盤内に突き入れられる複数のアンカー部と、を有し、
前記アンカー部は、先端部が海底に突き当てられた状態で前記本体部を海底より上方に支持することができるとともに、該本体部の自重又は自重と該本体部に作用する鉛直方向の力とによって海底地盤内に貫入が可能に、前記本体部の下端付近に固定されていることを特徴とする漁礁。
【請求項２】
前記アンカー部は、海面上において前記本体部が支持されるときには、該本体部の下面より上方に仮支持することができ、
前記本体部を吊り上げた状態で支持したときに、該本体部の下面より下方に突き出すように固定することができるものであることを特徴とする請求項１に記載の漁礁。
【請求項３】
前記本体部の側面より複数の方向に突き出した複数の張り出し部を有し、
前記アンカー部は、前記張り出し部を介して前記本体部に固定されていることを特徴とする請求項１又は請求項２に記載の漁礁。
【請求項４】
コンクリートからなる本体部の下面より下方に突き出すように複数のアンカー部を該本体部に固定し、
該本体部を前記アンカー部とともに吊り上げ、海底まで沈下させて、前記アンカー部の先端部が海底に突き当てられた状態で前記本体部を海底より上方に支持し、
前記本体部の自重又は自重と鉛直方向の力若しくは振動とを該本体部に作用させて前記アンカー部を海底地盤内に貫入することを特徴とする漁礁の設置方法。
【請求項５】
前記アンカー部の上部又は側部に、未硬化のモルタル又はコンクリートを収容した固化材収容袋を取り付け、
前記アンカー部の先端部が海底の地盤に接近したとき又は貫入されたときに海底に接触して作動する放出手段を設けておき、
該放出手段の作動によって前記固化材収容袋を破って収容するモルタル又はコンクリートを前記アンカー部の貫入位置付近に放出することを特徴とする請求項４に記載の漁礁の設置方法。
【請求項６】
前記アンカー部の先端の下側に、未硬化のモルタル又はコンクリートを収容した固化材収容袋を取り付け、
前記アンカー部の先端部が海底の地盤に接近したときに又は貫入されたときに、該アンカー部の先端が前記固化材収容袋を破って収容するモルタル又はコンクリートを前記アンカー部の貫入位置付近に放出することを特徴とする請求項４に記載の漁礁の設置方法。
【発明の詳細な説明】
【技術分野】
【０００１】
本発明は、魚類及び海中生物の繁殖及び生育を促進するために海底に設置される漁礁、並びに漁礁の設置方法に関するものである。
【背景技術】
【０００２】
魚類、貝類、甲殻類、頭足類等の繁殖及び生育を促進するためにコンクリートの漁礁を海底に沈設することが行われている。このような漁礁は、波浪や潮流が強いところでは転倒、流失等のおそれがあるために、これらの影響を受けにくいところを選んで設置される。しかし、波浪や潮流の影響を受けにくいところに限定すると漁礁を設置することができるところが少なく、十分な効果が得られないことがある。このため、波浪や潮流の影響があるところでも設置が可能な漁礁が求められており、例えば特許文献１に提案されているものがある。
【０００３】
この漁礁では、アングルの一辺を漁礁ブロックの要所に固定し、他の辺はロッド状のアンカーを海底に打ち込んで固定するものとなっている。
【先行技術文献】
【特許文献】
【０００４】
【特許文献１】特開２０１３−３９０７４号公報
【発明の概要】
【発明が解決しようとする課題】
【０００５】
しかしながら、特許文献１に記載されているようなロッド状のアンカーを海底に打ち込むためには、一般に海底における多くの作業が必要となる。すなわち海底に削孔を行ってロッドを挿入した後に固化材を注入する等の作業を行うことになる。このため、設置の費用が嵩むという課題がある。
【０００６】
本発明は、上記のような事情に鑑みてなされたものであり、その目的は、少ない費用で設置することができ、波浪や潮流の影響があっても転倒や移動を抑制することができる漁礁を提供すること、及びこの漁礁の設置方法を提供することである。
【課題を解決するための手段】
【０００７】
上記課題を解決するために、請求項１に係る発明は、  コンクリートからなる本体部と、  該本体部の下面より下方に突き出し、海底の地盤内に突き入れられる複数のアンカー部と、を有し、  前記アンカー部は、先端部が海底に突き当てられた状態で前記本体部を海底より上方に支持することができるとともに、該本体部の自重又は自重と該本体部に作用する鉛直方向の力とによって海底地盤内に貫入が可能に、前記本体部に固定されている漁礁を提供する。
【０００８】
この漁礁では、コンクリートからなる本体部の下面より下方に突き出したアンカー部が海底の地盤内に突き入れられ、コンクリートの本体部に潮流や波浪による力が作用することによる転倒及び移動に抵抗するものとなる。アンカー部は本体部に固定され、先端部が海底に突き当てられた状態で本体部を海底で支持することができる。したがって、アンカー部で本体部を支持した状態で本体部に鉛直方向の力を作用させることによってアンカー部が海底の地盤内に貫入される。海上からアンカー部を直接に打撃したり、押し込んだりするのは難しいが、コンクリートで形成された本体部に対しては海面上から揚重機等を用いて吊り上げた重量物を本体部上に沈下させる作業等によって鉛直方向の力を作用させることができる。これにより海面上からの作業でアンカー部を海底の地盤内に貫入することができる。
【０００９】
請求項２に係る発明は、  請求項１に記載の漁礁において、前記アンカー部は、海面上において前記本体部が支持されるときには、該本体部の下面より上方に仮支持することができ、  前記本体部を吊り上げた状態で支持したときに、該本体部の下面より下方に突き出すように固定することができるものとする。
【００１０】
この漁礁は、工場や製作ヤードにおいて製作し、設置する位置まで船舶や台船等を用いて輸送するときに、本体部の下面より上方にアンカー部を仮支持し、コンクリートの本体部の下面を台船等の甲板上に当接して載置することができる。したがって、アンカー部は、先端が尖った形状等であっても安定した状態で輸送することができる。
【００１１】
請求項３に係る発明は、請求項１又は請求項２に記載の漁礁において、  前記本体部の側面より複数の方向に突き出した複数の張り出し部を有し、  前記アンカー部は、前記張り出し部を介して前記本体部に固定されているものとする。
【００１２】
この漁礁では、広い範囲に張り出した位置でアンカー部が引き抜き及び押し込みに抵抗するものとなり、転倒に対して大きな安定性を有する。また、アンカー部が引き抜かれることによって移動への抵抗力が低下するのを抑えることができる。
【００１３】
請求項４に係る発明は、  コンクリートからなる本体部の下面より下方に突き出すように複数のアンカー部を該本体部に固定し、  該本体部を前記アンカー部とともに吊り上げ、海底まで沈下させて、前記アンカー部の先端部が海底に突き当てた状態で前記本体部を海底より上方に支持し、  前記本体部の自重又は自重とともに鉛直方向の力若しくは振動を該本体部に作用させて前記アンカー部を海底地盤内に貫入する漁礁の設置方法を提供するものである。
【００１４】
この漁礁の設置方法では、主に海面上からの作業によって本体部に固定されたアンカー部を海底の地盤内に貫入することができる。つまり、複数のアンカー部が固定された本体部を海底に沈下させた後、該本体部上に海面上から吊り支持した重量物等を載置して本体部に鉛直方向の力を作用させることができる。これにより本体部に固定されたアンカー部が海底の地盤内に貫入される。また、海面上から吊り降ろした重量物を本体部上に落下させたり、上下に振動させたりして貫入を促進することもできるし、起振機を吊り降ろして本体部の上に載置し、振動を付与してアンカー部を海底の地盤内に貫入することも可能となる。
【００１５】
請求項５に係る発明は、請求項４に記載の漁礁の設置方法において、  前記アンカー部の上部又は側部に、未硬化のモルタル又はコンクリートを収容した固化材収容袋を取り付け、  前記アンカー部の先端部が海底の地盤に接近したとき又は貫入されたときに海底に接触して作動する放出手段を設けておき、  該放出手段の作動によって前記固化材収容袋を破って収容するモルタル又はコンクリートを前記アンカー部の貫入位置付近に放出するものとする。
【００１６】
この漁礁の設置方法では、海面上の作業によって未硬化のモルタル又はコンクリートを収容した固化材収容袋をアンカー部付近に取り付けておくことができ、海面上からの作業で本体部を吊り降ろして海底に到達した状態でモルタル又はコンクリートがアンカー部の貫入位置付近に放出される。そして、アンカー部が海底の地盤内に貫入されるのにともなって海底の地盤内にモルタル又はコンクリートが引き込まれて海底の地盤を固化させる。したがって、アンカー部の引き抜き及び押し込みに対する抵抗力が増大するものとなる。
【００１７】
請求項６に係る発明は、請求項４に記載の漁礁の設置方法において、  前記アンカー部の先端の下側に、未硬化のモルタル又はコンクリートを収容した固化材収容袋を取り付け、  前記アンカー部の先端部が海底の地盤に接近したときに又は貫入されたときに、該アンカー部の先端が前記固化材収容袋を破って収容するモルタル又はコンクリートを前記アンカー部の貫入位置付近に放出するものとする。
【００１８】
この漁礁の設置方法では、海面上の作業によって未硬化のモルタル又はコンクリートを収容した固化材収容袋をアンカー部の下側に取り付けておくことができる。そして、海面上からの作業で本体部を吊り降ろして海底に到達するときに、アンカー部によってモルタル又はコンクリートを収容した固化材収容袋を突き破り、アンカー部の貫入位置付近に未硬化のモルタル又はコンクリートを放出することができる。モルタル又はコンクリートはアンカー部が海底の地盤内に貫入されるのにともなって海底の地盤内に引き込まれ、海底の地盤を固化させる。したがって、アンカー部の引き抜き及び押し込みに対する抵抗力が増大するものとなる。
【発明の効果】
【００１９】
以上説明したように、本発明の漁礁では、海底に潜水して多くの作業を行うことなく、アンカー部が海底の地盤内に貫入された漁礁を得ることができる。また、本発明の漁礁の設置方法では、海底に潜水して多くの作用を行うことなく、海底にアンカー部を貫入して漁礁を設置することができる。したがって、多くの費用を要することなく、波浪や潮流の影響を受けにくい漁礁を得ることができる。
【図面の簡単な説明】
【００２０】
【図１】本発明の一実施形態である漁礁が海底に設置された状態を示す概略側面図及び概略平面図である。
【図２】図１に示す漁礁のアンカー部が本体部に取り付けられた部分を示す概略側面図であって、アンカー部が本体部の下面より下方に突き出すように固定された状態、及び該漁礁を設置する前の輸送時にアンカー部が仮支持された状態を示す図である。
【図３】図１に示す漁礁を設置するために海底に吊り降ろす状態を示す概略図である。
【図４】図１に示す漁礁を設置するときに、アンカー部を海底の地盤内に貫入する状態を示す概略側面図である。
【図５】アンカー部の他の例が本体部に取り付けられた部分を示す概略側面図であって、アンカー部が本体部の下面より下方に突き出すように固定された状態、及び該漁礁を設置する前の輸送時にアンカー部が仮支持された状態を示す図である。
【図６】アンカー部の他の例が本体部に取り付けられた部分を示す概略側面図であって、アンカー部が本体部の下面より下方に突き出すように固定された状態、及び該漁礁を設置する前の輸送時にアンカー部が仮支持された状態を示す図である。
【図７】アンカー部の他の例が本体部に取り付けられた部分を示す概略側面図であって、アンカー部が本体部の下面より下方に突き出すように固定された状態、及び該漁礁を設置する前の輸送時にアンカー部が仮支持された状態を示す図である。
【図８】本発明の他の実施形態である漁礁が海底に設置された状態を示す概略側面図である。
【図９】図６に示す漁礁の輸送時及び設置時における張り出し部の状態を示す概略平面図である。
【図１０】本発明に係る漁礁を設置するときに未硬化のモルタル又はコンクリートを収容した固化材収容袋を取り付けた状態を示す概略図である。
【図１１】アンカー部を海底の地盤に貫入させる貫入装置の例を示す概略断面図である。
【図１２】アンカー部を海底の地盤に貫入させる貫入装置の他の例を示す概略正面図及び側面図である。
【発明を実施するための形態】
【００２１】
以下、本発明の実施の形態を図に基づいて説明する。
図１は、本発明の一実施形態である漁礁が海底に設置された状態を示す概略側面図及び概略平面図である。
この漁礁１は、コンクリートで形成された本体部２と鋼からなるアンカー部３とで主要部が構成されている。そして、図１（ａ）に示すように複数の本体部２を積み重ねて設置されている。
【００２２】
上記本体部２は、鉄筋コンクリートからなるものであって、平面形状がほぼ矩形の版状部２ａと、この版状部２ａの４つ隅角部から下方に突き出した脚部２ｂとを有している。そして、脚部２ｂが設けられている部分の上部には切り欠き２ｃが設けられ、同形状の他の本体部２が備える脚部２ｂの下端を嵌め合わせることができるものとなっている。これにより、本体部２の上に一つ又は複数の同形状の本体部２を、安定した状態で積み重ねることができる。なお、積み重ねた上層の本体部２と下層の本体部２とは、予め埋め込まれているアンカーボルト（図示しない）等を用いて連結し、波浪や潮流によって上層の本体部と下層の本体部とが分離するのを防止するのが望ましい。
【００２３】
上記アンカー部３は、図１（ｂ）に示すように脚部２ｂのそれぞれについて設けられ、図１（ａ）に示すように脚部２ｂの下面より下方に突き出すように固定されている。これらのアンカー部３は、図２（ａ）に示すように断面形状がＬ字状となったいわゆるＬ形鋼（山形鋼）からなる貫入部材１２と、本体部２に取り付けられて貫入部材１２を支持する支持体１３とを有するものである。貫入部材１２は、先端が海底７の地盤に貫入し易くするために斜め方向に切断されて尖った形状になっている。支持体１３は、図２（ｃ）に示すように断面の形状がほぼ矩形となった筒状部１３ａを有し、この筒状部１３ａをコンクリートからなる本体部２に取り付けるためのフランジ部１３ｂを有するものである。このフランジ部１３ｂに設けられた貫通孔にボルト１４を挿通し、本体部２に埋め込まれた埋め込み部材１５のボルト孔にねじ込む。このボルト１４で締め付けることによって支持体１３が本体部２に強固に固定されている。
【００２４】
上記貫入部材１２は、図２（ａ）に示すように上下に貫通する筒状部１３の内側に挿通され、上端に固定された板状のストッパー１２ａが支持体１３の上端面に突き当てられることによって、下部の所定長さが本体部２の下面より下方に突き出るものとなっている。この位置で支持体１３及び貫入部材１２に設けられた水平方向の貫通孔にボルト１６を挿通することによって貫入部材１２が支持体１３に所定の位置で固定されるものである。
なお、貫入部材１２は、図２（ｂ）に示すように下端が本体部２の下面より上方となるように引き上げた状態で、支持体１３の貫通孔及び貫入部材１２の下部に設けられた貫通孔にボルト１６を挿通して、貫入部材１２を本体部２の下面より上方に仮支持することができるものとなっている。
【００２５】
このような漁礁１は次のように設置することができる。
本体部２は、工場又は製作ヤードにおいて、型枠内に鉄筋を組み立てて未硬化のコンクリートを打設することによって製作することができる。コンクリートが硬化した後、型枠を取り外し、予め埋め込まれている埋め込み部材１５にボルト１４をねじ込んでアンカー部３を本体部２に取り付ける。このとき、貫入部材１２は図２（ｂ）に示すように下端が本体部２の下面より上方に仮支持しておく。この状態で台船等に載せて設置位置まで搬送する。設置位置では揚重機等を用いて漁礁を吊り上げ、この状態でアンカー部３の貫入部材１２を図２（ａ）に示されるように本体部２の下面より下方に突き出した状態として固定する。そして、図３に示すように揚重機４等で吊り上げた漁礁をゆっくりと降下させ、海底の所定の位置に吊り降ろす。
なお、本体部２には揚重機４等によって吊り上げるための吊り金具５を取り付けておくのが望ましい。
【００２６】
アンカー部３が取り付けられた本体部２を海底まで吊り降ろした後、複数の本体部を積みかさねて設置するときには、アンカー部３が取り付けられていない本体部２を同様にして海底に吊りおろし、先に吊り降ろされた本体部２の上に積み重ね、脚部の下端を先に吊り降ろした本体部２の上部に設けられた切り欠き２ｃに嵌め合わせる。そして、必要に応じて双方の本体部を連結する。
【００２７】
漁礁１を海底に吊り降ろした状態で、図１（ａ）に示すように本体部２の下面が海底７に到達するまで自重で貫入部材１２が海底７の地盤内に貫入されるときには、上記工程で漁礁１の設置を完了するが、海底７の地盤の貫入抵抗が大きいときには、図４（ａ）に示すように本体部２の下面が海底７に到達せず、アンカー部３によって本体部２が支持された状態となる。このときには、漁礁１を海底７に吊り降ろした後に、図４（ｂ）に示すように重量物６を本体部２の上に吊り降ろして鉛直下方への力を付与する。これによって本体部２に固定されたアンカー部３を海底７の地盤内に貫入して本体部２の下面を海底７の地盤に到達させる。
上記重量物６はコンクリートのブロック、岩塊等であってもよいし、砂利等を袋に詰めたもの等であってもよい。また、これらの重量物６を海底の本体部２の上に落下させて衝撃を与えてもよいし、繰り返し上下動をさせてアンカー部３の貫入部材１２が地盤内に貫入されるのを促進することもできる。重量物として、又は重量物とともに起振機を吊りおろし、振動を付与することもできる。
【００２８】
図４に示すように本体部２の重量及び本体部に作用する鉛直方向の力によってアンカー部３を海底７の地盤内に貫入するために、アンカー部３の貫入部材１２は本体部２の下部に固定され、海底において本体部２を支持することができるものとなっている。そして、本体部２に作用する鉛直方向の力が伝達される貫入部材１２は、本体部２から伝達される鉛直方向の力によって海底の地盤内に貫入できる程度の剛性を有するとともに、本体部２に対して相対的に変位したり、折れ曲がったりしないように強固に固定できるものとする。
【００２９】
このような貫入部材を備えたアンカー部は、図２に示すものに限定されず、例えば図５から図７までに示すような構造を採用することもできる。
図５に示すアンカー部２１は、海底の地盤内に貫入される貫入部材２２がＬ型鋼で形成され、ボルト２３によって本体部２に固定されるものである。ボルト２３は本体部２に埋め込まれている埋め込み部材（図示しない）のボルト孔にねじ込まれる。埋め込み部材は、図２（ｃ）に示す埋め込み部材１５と同様のものを用いることができ、本体部２のコンクリートを打設する前に、型枠に当接するように支持しておき、打設するコンクリートに埋め込まれたものである。
【００３０】
貫入部材２２は、先端が軸線と傾斜する切断面によって切断され、尖った形状となっており、図５（ａ）に示すように複数のボルト２３によって本体部２に固定される。また、工場等で製作した後、設置位置に搬送するときには、図５（ｂ）に示すように貫入部材２２の尖った先端が上方を向いた状態とし、本体部２の下面より下方には突き出さないように仮支持されるものとなっている。そして、設置する前に吊り上げたときに、図５（ｂ）中の矢印Ｂで示すように１本のボルト２３の軸線回りに回転させ、図５（ａ）に示すように本体部２の下面より貫入部材２２の所定の長さが下方に突き出した状態で固定することができるものである。
【００３１】
図６に示すアンカー部３１は、図５に示すアンカー部２１と同様に、Ｌ形鋼からなる貫入部材３２を用いるものであり、図６（ａ）に示すように本体部に埋め込まれている埋め込み部材（図示しない）にボルト３３をねじ込み、本体部２に締め付けて固定するものである。このアンカー部３３は、設置位置まで搬送するときに、図６（ｂ）に示すように尖った先端を下方に向けた状態で本体部の下面より上方に仮支持するものとなっている。
貫入部材３２には、円孔である貫通孔３２ａの他に、軸線方向に長い長孔３２ｂが形成されている。仮支持するときには一本又は複数のボルト３３で仮固定しておき、海底に設置するために本体部２を吊り上げたときに、長孔３２ｂに挿通されたボルト３３よって横方向の移動を拘束しながら下方に摺動させる。そして、図６（ａ）に示すように本体部２の下面より下方に突き出した状態とし、この位置で固定することできるものである。
【００３２】
図７に示すアンカー部４１は、外周面に雄ネジが形成されたロッドを貫入部材４２として用いるものである。この貫入部材４２にねじり合わせられるナット４４が固着された支持体４３を本体部２に固定し、図７（ａ）に示すように貫入部材４２が本体部の下面より突き出すように支持するものとなっている。
貫入部材４２は、例えば異形鉄筋として用いられるものであって、太径で外周面の凸部がネジ山となっている、いわゆる全ねじ鉄筋を用いることができる。この鉄筋を所定の長さに切断し、先端部は軸線に対して傾斜した切断面として先端を尖った状態としている。
支持体４３は、上記貫入部材４２である全ねじ鉄筋にねじり合わされるナット４４が鋼プレート４５に溶接で接合されたものであり、鋼プレート４５に設けられ貫通孔に挿通したボルト４６によって本体部２に固定されるものである。
このようなアンカー部材４１では、設置位置まで搬送するときには、図７（ｂ）に示すように貫入部材４２がナット４４にねじり合わされた状態で本体部２の下面より上方に支持される。そして、吊り上げて海底に設置する前に、貫入部材４２を軸線回りに回転させ、図７（ａ）に示すように本体部２の下面より所定長を突き出した状態とすることができる。
【００３３】
図８は、本発明の他の実施形態である漁礁の海底に設置された状態を示す概略側面図である。
この漁礁５１は、鉄筋コンクリートで形成された本体部５２が、ほぼ立方体の各辺に沿った位置に設けられた柱６２及び梁６３からなる外枠体６１と、４つの柱６２から立方体の中心に向って張り出し、側面形状がほぼ三角形となった鉛直板６４と、鉛直板６４によって立方体の高さのほぼ中位で水平に支持された中央板６５とを有するものである。そして、４つの柱６２のそれぞれから側方に張り出すように設けられた鋼枠５４を有し、この鋼枠５４の張り出した先端部にアンカー部５３が設けられている。
【００３４】
上記鋼枠５４は、形鋼を組み合わせて形成されたものであり、海底に吊り降ろされて本体部の下面より下方に突き出したアンカー部５３によって支持されるときに、本体部５２を海底７より高い位置で支持することできるものである。また、本体部５２上に重量物を載置してアンカー部５３を海底の地盤に貫入するときには、本体部５２の自重及び重量物による鉛直方向の力をアンカー部５３に伝達することができるものとなっている。
【００３５】
上記鋼枠５４は、鉛直方向の軸線回りに回動が可能なヒンジ５５によって本体部５２と結合されており、鋼枠５４はこのヒンジ５５の軸線回りに回動することが可能となっている。これにより、この漁礁５１を設置位置へ搬送するときには、図９（ａ）に示すように鋼枠５４を本体部５２の側面に沿った位置に保持し、吊り上げて海底に吊り降ろすときには、回動して図９（ｂ）に示すように本体部５２の側面から張り出した状態とすることができる。したがって、搬送時には大きなスペースを要することなく台船等に積載して搬送し、効率よく多くの漁礁５１を海底７に設置する作業を行うことが可能となる。
なお、アンカー部５３は、図１に示す漁礁１と同様のものを使用することができ、図５から図７までに示すアンカー部を使用することもできる。
【００３６】
このような漁礁５１では、鋼枠５４によって張り出した位置にアンカー部５３が設けられ、アンカー部５３が引き抜き及び押し込みに抵抗するものとなっているので、漁礁５１は転倒に対して安定したものとなる。また、波浪や潮流によって本体部５２に水平方向の力が作用しても、本体５２部が傾斜するのが抑制され、アンカー部５３の引き抜きに対して大きな抵抗力を有する。したがって、アンカー部５３は水平方向の移動に対しても有効に抵抗するものとなる。
【００３７】
以上に説明した漁礁は、いずれもアンカー部を海底の地盤内に管入するものであるが、貫入されたアンカー部の周囲の地盤をモルタル又はコンクリートで固めて引き抜き抵抗又は水平方向への移動に対する抵抗力を増大させることができる。例えば、海中で多くの作業を行うことなくアンカー部の周囲の地盤をモルタル又はコンクリートで固める方法として、図１０に示すような手段を採用することができる。
【００３８】
この方法では、アンカー部８１の貫入部材８２を漁礁の本体部２の下面から突き出した状態で、モルタルを収容した固化材収容袋７１，７７を本体部の脚部２ｂに取り付け、これを沈下させて海底の地盤に貫入される貫入部材８２の周囲で放出するものである。
図１０（ａ）に示す方法では、モルタルを収容した固化材収容袋７１を貫入部材８２の上部に支持しておき、貫入部材８２には固化材収容袋７１を突き破って収容したモルタルを放出するための放出手段７２を備えるものとする。放出手段７２は、貫入部材８２に軸線が上下方向となるように取り付けられた管部材７３と、管部材７３の内側に挿通された軸部材７４と、軸部材７４の上端部に取り付けられた突き針７５とを有している。突き針７５は管部材７３の内径より側方に張り出した部分を有し、管部材７３の上端に係止されて軸部材７４が管部材７３から抜け出さないようになっている。軸部材７４の下端は、ほぼ水平方向の小さな板部材７６が取り付けられ、海底の地盤に突き当てられたときに地盤内に貫入しにくく、上方に押し上げられるものとなっている。そして、軸部材７４の下端が貫入部材８２の下端より上方となるように支持され、突き針７５の上方にモルタルを収容した固化材収容袋７１が吊り支持される。
【００３９】
このような放出手段７２とモルタルを収容した固化材収容袋７１を備えた漁礁が海底に沈められ、アンカー部８１の貫入部材８２が海底の地盤内に押し入られると、放出手段７２が備える軸部材７４の下端が海底の地盤に突き当たり、上方に押し上げられる。これにともない、突き針７５が上昇して上側にある固化材収容袋７１を突き破り、貫入されつつある貫入部材８２の周囲にモルタルが放出される。そして、さらに貫入部材８２が海底の地盤に押し入れられるのにともない、モルタルが地盤内に引き込まれて地盤を固化する。これによって貫入部材８２の引き抜き抵抗が増大する。
【００４０】
また、図１０（ｂ）はモルタルを収容する固化材収容袋７７の支持形態が異なる例を示す概略図である。
この方法では、モルタルを収容した固化材収容袋７７を、貫入部材８２の先端の下側を覆うように支持している。このように固化材収容袋７７を支持して漁礁を海底に沈下させると、モルタルを収容した固化材収容袋７７が最初に海底に到達し、さらに貫入部材８２の先端が固化材収容袋の上から海底の地盤に接近する。したがって、貫入部材８２の尖った先端がモルタルを収容した固化材収容袋７７を突き破り、海底の地盤内に突き入れられるとともに、その周囲にモルタルが放出される。そして、貫入部材８２がさらに海底の地盤内に押し入れられるのにともなってモルタルも地盤内に引き入れられ、地盤を固化させる。
【００４１】
以上に説明した漁礁及び漁礁の設置方法は本発明の実施の形態であって、本発明はこれらに限定されるものではない。したがって、本発明の範囲内で適宜に変更を加えて実施することができるものであり、各構成の形状や寸法等を適切に設定することができる。
【００４２】
例えば、アンカー部を海底の地盤内に貫入する手段は、図４に示すようなコンクリートのブロック等の重量物に限定されものではなく、図１１又は図１２に示すような貫入装置を用いることができる。
図１１に示す貫入装置９０は、漁礁１を海底７に設置した後、該漁礁１の上に沈下させて繰り返し上下方向の衝撃を付与する。これによってしてアンカー部３を海底７に貫入させるものである。
この貫入装置９０は、漁礁１の上面の上に載置される基板部９１と、該基板部９１から上方に立ち上げられた内筒部９２と、該内筒部の外側に装着される外筒部９３とを備えている。
【００４３】
上記基板部９１は、鋼板材からなるものであり、中心部に貫通孔９４が設けられるとともに、この周囲から下方に突出部９５が設けられている。この突出部９５は短い鋼管からなるものであり、漁礁の版状部２ａに設けられた貫通孔２ｄに嵌め入れ、漁礁上の予め定められた位置にこの貫入装置９０を設置することができる。これにより、アンカー部３の貫入作業を行う間にこの貫入装置９０が移動しないように拘束するものである。
【００４４】
基板部９１から立ち上げられた内筒部９２は、鋼管からなるものであり、溶接等によって基板部９１と一体となるように接合されている。この内筒部９２の内側は上方に開放されており、上端には外側に向かって張り出したフランジ部９６が設けられている。
上記外筒部９３は、上記内筒部９２の外径より内径が大きい鋼管で形成されており、上端及び下端で内側が開放されている。そして、内側に内筒部９２が下側から挿入された状態で、内筒部９２に対して上下方向に相対的な移動が可能で、下端は基板部９１に突き当てることができるものとなっている。この外筒部９３の下端部の内側には内筒部９２に設けられたフランジ部９６に係止される係止突起９７を備えている。係止突起９７は周方向に複数が設けられており、外筒部９３を上方に持ち上げたときに係止突起９７がフランジ部９６に突き当たり、内筒部９２が抜け出さないものとしている。
上記外筒部９３の上部の内側には直径方向に支持梁９８が固定されており、この支持梁９８を介して吊り上げることができるものとなっている。
【００４５】
このような貫入装置は、図１１（ｂ）に示すように外筒部９３をワイヤ９９によって吊り上げると、係止突起９７が内筒部９２の上部に設けられたフランジ部９６に突き当てられ、内筒部９２が外筒部９３に支持された状態で吊り上げられる。そして、この状態で設置された漁礁１上に沈下させて突出部９５を漁礁の版状部２ａに設けられた貫通孔２ｄに嵌め入れ、この貫入装置を設置することができる。この状態で外筒部９３を内筒部９２の長さの範囲内で引き上げ、落下させる動作を繰り返し、外筒部９３が落下して基板部９１に突き当たるときの衝撃でアンカー部３を海底７の地盤内に貫入するものである。
【００４６】
図１２に示す貫入装置１００は、多角形の厚板材からなる打撃部１０１と、２つの打撃部を並行にして中心間を連結する軸部１０２と、この軸部１０２に固定されたリール１０３と、漁礁の版状部２ａの上に載置される基板部１０４と、この基板部１０４から上方に立ち上げられて軸部１０２の位置を規制する規制部１０５とを備えている。
上記基板部１０４は、鋼板材からなるものであり、図１１に示す貫入装置９０と同様に中心部に貫通孔（図示しない）が設けられるとともに、この周囲から下方に突出部１０６が設けられている。そして、この基板部１０４の上面からは上記軸部１０２の位置を２か所で規制する２つの規制部１０５が立ち上げられている。規制部１０５は軸部１０２が挿通される貫通孔１０７を有するものであり、この貫通孔１０７は軸部１０２が上下には所定の範囲で移動を許容するとともに、水平方向には移動を規制するものとなっている。
【００４７】
上記打撃部１０１は、厚い鋼板で形成され、本例では形状が正六角形となっている。そして、正六角形の一辺が基板部１０４の上面に当接した状態で基板部上に支持することができるとともに、軸部１０２が上下に移動可能となっていることによって回転することができるものとなっている。
上記リール１０３にはワイヤ１０８が巻きつけられ、一端を海面上から牽引することができるものとしている。
【００４８】
このような貫入装置１００では、海底に漁礁１を設置した後、漁礁上に設置して海面上からリール１０３に巻きつけられたワイヤ１０８を牽引することができる。これによりリール１０３から軸部１０２及び打撃部１０１に回転方向の力及び上方へ持ち上げようとする力が伝達される。軸部１０２は規制部１０５に対して上下方向の移動が可能となっていることから、軸部１０２とともに打撃部１０１は上下動を繰り返しながら断続的に回転する。これにともない打撃部１０１の正六角形の頂角部が繰り返し基板部１０４を打撃し、下方への力及び衝撃が漁礁からアンカー部に伝達される。これによりアンカー部が海底の地盤内に貫入される。
【符号の説明】
【００４９】
１：漁礁，  ２：本体部，  ２ａ：版状部，  ２ｂ：脚部，  ３：アンカー部，  ４：揚重機，  ５：吊り金具，  ６：重量物，  ７：海底，
１２：貫入部材，  １３：支持体，  １４：ボルト，  １５：埋め込み部材，  １６：ボルト，
２１：アンカー部，  ２２：貫入部材，  ２３：ボルト，
３１：アンカー部，  ３２：貫入部材，  ３２ａ：円孔，  ３２ｂ：長孔，  ３３：ボルト，
４１：アンカー部，  ４２：貫入部材，  ４３：支持体，  ４４：ナット，  ４５：鋼プレート，  ４６：ボルト，
５１：漁礁，  ５２：本体部，  ５３：アンカー部，  ５４：鋼枠，
６１：外枠体，  ６２：柱，  ６３：梁，  ６４：鉛直板，  ６５：中央板，
７１：固化材収容袋，  ７２：放出手段，  ７３：管部材，  ７４：軸部材，  ７５：突き針，  ７６：板部材，  ７７：固化材収容袋，
８１：アンカー部，  ８２：貫入部材
９０：貫入装置，  ９１：基板部，  ９２：内筒部，  ９３：外筒部，  ９４：貫通孔，  ９５：突出部，  ９６：フランジ部，  ９７：係止突起，  ９８：支持梁，  ９９：ワイヤ，
１００：貫入装置，  １０１：打撃部，  １０２：軸部，  １０３：リール，  １０４：基板部，  １０５：規制部，  １０６：突出部，  １０７：規制部に設けられた貫通孔，  １０８：ワイヤ
【図１】
2017195791.tif 000003
【図２】
2017195791.tif 000004
【図３】
2017195791.tif 000005
【図４】
2017195791.tif 000006
【図５】
2017195791.tif 000007
【図６】
2017195791.tif 000008
【図７】
2017195791.tif 000009
【図８】
2017195791.tif 000010
【図９】
2017195791.tif 000011
【図１０】
2017195791.tif 000012
【図１１】
2017195791.tif 000013
【図１２】
2017195791.tif 000014